(57)【要約】【課題】  位置決めを容易にでき信頼性の高い光コネクタを提案すること。【解決手段】  光ケーブル１を固定する光コネクタの固定部材において、第１の保持部材５の凹部５ｂと第２の保持部材６の固着部６ａとが前記光ケーブル１の線材２を挟持することにより固着され、第２の保持部材６と第３の保持部材７とは前記第２の保持部材６の係止部６ｂと前記第３の保持部材７の被係止部７ｂとが係合することにより回転が制御され、前記光コネクタ１０と前記第３の保持部材７とは前記光コネクタの係合部と前記被係合部７ｂとが係合することにより回転を制御されかつ前記光コネクタ１０の軸線Ｘ方向の位置決めがなされる。【選択図】  図２
2006154183.tif 000002
【特許請求の範囲】
【請求項１】
光ケーブルを固定するための光コネクタの固定部材において、第１の保持部材と、第２の保持部材と、第３の保持部材とを有し、
前記第１の保持部材は、前記光ケーブルの光ファイバを挿通し、前記光ファイバを挿通する挿通孔と、前記光ファイバを固定する固定部と、凹部とを有し、
前記第２の保持部材は、前記光ケーブルの線材を固着する固着部と、前記第３の保持部材に係合する係止部とを有し、
前記第３の保持部材は、前記係止部と係合する被係止部と、前記光コネクタの係合部と係合する被係合部とを有し、
前記凹部と前記固着部とは、前記線材を挟持することにより前記線材を前記固着部に固着しており、
前記第２の保持部材と前記第３の保持部材とは、前記係止部と前記被係止部とが係合することにより相互の回転が制御され、
前記光コネクタと前記第３の保持部材とは、前記係合部と被係合部とが係合することにより、相互の回転を制御されかつ前記光コネクタの軸線方向の位置決めがされることをと特徴とする光コネクタの固定部材。
【発明の詳細な説明】
【技術分野】
【０００１】
本発明は、光ケーブルの端末部を接続する光コネクタの固定部材に関する。
【背景技術】
【０００２】
従来、光ケーブルの端末部を接続する光コネクタでは、光ケーブルの抗張力体として使用されているＦＲＰ（ガラス繊維強化プラスチック）を用いる端末固定方法として、端末固定具の内部にテーパー部を設け、このテーパー部に部材を介してＦＲＰを固定する方法が提案されている（例えば、特許文献１を参照）。
【０００３】
また、従来の光コネクタとしては、芯金の外周部に凹みを設け、この凹みに外装材を載せかつスナップリングによって挟み込むことで光ケーブルの端末部を固定する方法が提案されている（例えば、特許文献２を参照）。
【０００４】
【特許文献１】特開平６−１７０９４９号公報
【特許文献２】特許第２５９００６７号公報
【発明の開示】
【発明が解決しようとする課題】
【０００５】
特許文献１，２では、光ケーブルの端末部を接続する光コネクタでは、回転方向もしくは押し出す側への規制がなく、実使用において光ケーブルを引き回すために、回転方向や押し出し方向への外力も掛けるので、構造的な配慮をしておかないと、信頼性の高い光コネクタを得ることができないという問題がある。
【０００６】
それ故に本発明の課題は、回転方向や押し出し方向への相互の回転を制御し、かつ光コネクタの軸線方向の位置決めを容易に行うことができ、信頼性の高い光コネクタの保持部材を提供することにある。
【課題を解決するための手段】
【０００７】
本発明は、光ケーブルを固定するための光コネクタの固定部材において、第１の保持部材と、第２の保持部材と、第３の保持部材とを有し、前記第１の保持部材は、前記光ケーブルの光ファイバを挿通し、前記光ファイバを挿通する挿通孔と、前記光ファイバを固定する固定部と、凹部とを有し、前記第２の保持部材は、前記光ケーブルの線材を固着する固着部と、前記第３の保持部材に係合する係止部とを有し、前記第３の保持部材は、前記係止部と係合する被係止部と、前記光コネクタの係合部と係合する被係合部とを有し、前記凹部と前記固着部とは、前記線材を挟持することにより前記線材を前記固着部に固着しており、前記第２の保持部材と前記第３の保持部材とは、前記係止部と前記被係止部とが係合することにより相互の回転が制御され、前記光コネクタと前記第３の保持部材とは、前記係合部と被係合部とが係合することにより、相互の回転を制御されかつ前記光コネクタの軸線方向の位置決めがされることを特徴とする光コネクタの保持部材であることを最も主要な特徴とする。
【発明の効果】
【０００８】
本発明に係る光コネクタの保持部材によれば、凹部と固着部とによって光ケーブルの前記線材を挟持することにより線材を固着部に固着し、係止部と被係止部とが係合することにより、第２の保持部材と第３の保持部材との相互の回転を制御し、係合部と被係合部とが係合することにより、光コネクタと第３の保持部材とにおける相互の回転を制御し、かつ光コネクタの軸線方向の位置決めを行うので、回転方向や押し出し方向への相互の回転を制御し、かつ光コネクタの軸線方向の位置決めを容易に行うことができることから、信頼性の高い光コネクタの保持部材を提供することができる。
【発明を実施するための最良の形態】
【０００９】
本発明の光ケーブルを固定するための光コネクタの固定部材においては、第１の保持部材と、第２の保持部材と、第３の保持部材とを有し、前記第１の保持部材は、前記光ケーブルの光ファイバを挿通し、前記光ファイバを挿通する挿通孔と、前記光ファイバを固定する固定部と、凹部とを有し、前記第２の保持部材は、前記光ケーブルの線材を固着する固着部と、前記第３の保持部材に係合する係止部とを有し、前記第３の保持部材は、前記係止部と係合する被係止部と、前記光コネクタの係合部と係合する被係合部とを有し、前記凹部と前記固着部とは、前記線材を挟持することにより前記線材を前記固着部に固着しており、前記第２の保持部材と前記第３の保持部材とは、前記係止部と前記被係止部とが係合することにより相互の回転が制御され、前記光コネクタと前記第３の保持部材とは、前記係合部と被係合部とが係合することにより、相互の回転を制御されかつ前記光コネクタの軸線方向の位置決めがされることにより実現した。
【実施例１】
【００１０】
図１は、本発明に係る光コネクタの固定部材を外殻部品によって組み立てた状態の実施例１を示している。
【００１１】
図１を参照して、光コネクタ１０は、外殻部品１５をコネクタ側の一方でナット１７によって締め付け固定し、外殻部品１５の他方を取付具１９によって保持している。外殻部品１５の内部には、保持部材２０が設けられている。
【００１２】
図２は、保持部材２０を備えている光コネクタ１０と、取付部品１９とを分離した状態を示している。図３は、光ケーブル１に保持した第２の保持部材６を第３の保持部材７から分離した状態を示している。
【００１３】
図１乃至図３を参照して、光ケーブル１に接続する光コネクタ１０の保持部材２０は、第１の保持部材５（中子とも呼ばれている）と、第２の保持部材（端末固定具）６と、第３の保持部材（スペーサー）７とを有している。
【００１４】
光ケーブル１は、図４にも示すように、絶縁体１ａの内部に設けられている線材２と、線材２の内側に設けられている管材３と、管材３の内側に設けられている光ファイバ４とを有している。
【００１５】
図４では、光ケーブル１の一端部において線材２が絶縁体１ａを剥ぎ取ることによって露出されており、線材２から管材３が露出しており、管材３を通して一端部へ光ファイバ４が延出されている。なお、実施例１における線材２は鋼線を採用しており、複数の細径の線を筒状になすようにして作られている。また、管材３はステンレスパイプを採用している。
【００１６】
図５は、図４に示した光ケーブル１に第１の保持部材５を入れた状態を示している。図６は、第１の保持部材５を拡大して示している。
【００１７】
図５及び図６をも参照して、第１の保持部材５は、軸線Ｘ方向の一端面及び他端面間に形成されている挿通孔５ａと、他端面の近傍でかつ外周面に形成されている凹部５ｂとを有している。
【００１８】
挿通孔５ａは、管材３の外径よりも僅かに大きい内径となっている。挿通孔５ａには、光ケーブル１の光ファイバ４及び管材３が挿通されている。凹部５ｂは、第２保持部材６の固着部６ａと協働して光ケーブル１の線材２を固定するための部分である。第１の保持部材５における軸線Ｘ方向の他端部は、線材２及び管材３間へ第１の保持部材５を挿入し易い形状とするように、先端に向かって先細りとなるテーパー部５ｄが形成されている。
【００１９】
第１の保持部材５の一部には、第１の保持部材５と管材３とを固定するための固定部（穴）５ｃが形成されている。固定部５ｃは、図５に示したように、線材２の先端から露出している部分に位置している。固定部５ｃには、接着剤を流入させて接着剤によって接着するか、もしくは半田を流し込むことによって第１の保持部材５と管材３を半田付け固定する。
【００２０】
第２の保持部材６は、光ケーブル１の線材２の外側に固着する筒状の固着部６ａと、固着部６ａの他端側で固着部６ａに一体に接続されている平坦な切り欠き面６ｄをもつ係止部６ｂとを有している。係止部６ｂの外形形状は、固着部６ａよりも大きな略鍔形状となっている。係止部６ｂは、第３の保持部材７に係合する。
【００２１】
第３の保持部材７は、図３及び図７にも示すように、軸線Ｘ方向の一端に形成されている突状の被係合部７ａと、軸線Ｘ方向の他端側に形成されている突状の被係止部７ｂとを有している。
【００２２】
被係合部７ａは、光コネクタ１０の凹形状の係合部（図示せず）と係合する部分であり、被係止部７ｂは第２の保持部材６の係止部６ｂと係合する部分である。第２の保持部材６と第３の保持部材７とは、係止部６ｂの切り欠き面６ｄと被係止部７ｂとが係合することにより相互の回転が制御される。
【００２３】
光コネクタと第３の保持部材７とは、光コネクタ１０の係合部と被係合部７ａとが係合することにより、相互の回転を制御される。また、光コネクタ１０と第３の保持部材７とは、光コネクタ１０の係合部と被係合部７ａとが係合することにより、光コネクタ１０の軸線Ｘ方向の位置決めされる。
【００２４】
さらに、第３の保持部材７には、外周面の一部に開口部７ｆが形成されている。開口部７ｆは、第２の保持部材７を組み立てた直後に内部状態を容易に観察できるように配慮されている。開口部７fには、第２の保持部材７を組み立てた直後の内部状態を観察した後に、ネジ蓋７ｇによって封止される。
【００２５】
そして、第１乃至第３の保持部材５，６，７を組み立てた後は、外殻部品１５をコネクタ側の一方でナット１７によって締め付け固定し、外殻部品１５の他方を取付具１９によって保持する。
【図面の簡単な説明】
【００２６】
【図１】本発明に係る光コネクタの固定部材を外殻部品によって組み立てた状態の実施例１を示す斜視図である（実施例１）。
【図２】図１に示した光コネクタの外殻部品を取り外した状態を示す斜視図である。
【図３】図２に示した光ケーブル接続した第２の保持部材及び第３の保持部材を分離した状態で示した斜視図である。
【図４】図１に示した光ケーブルを示す斜視図である。
【図５】図４に示した光ケーブルに第１の保持部材を設けた状態を示す斜視図である。
【図６】図４に示した第１の保持部材を拡大して示した斜視図である。
【図７】図３に示した第３の保持部材を第２の保持部材に取り付けた状態を示し斜視図である。
【符号の説明】
【００２７】
１    光ケーブル
１ａ    絶縁体
２    線材
３    管材
４    光ファイバ
５    第１の保持部材
５ａ    挿通孔
５ｂ    凹部
６    第２の保持部材
６ａ    固着部
６ｂ    係止部
５ｃ    固定部
７    第３の保持部材
７ａ    被係合部
７ｂ    被係止部
７ｆ    開口部
１０    光コネクタ
１５    外殻部品
１７    ナット
１９    取付具
【図１】
2006154183.tif 000003
【図２】
2006154183.tif 000004
【図３】
2006154183.tif 000005
【図４】
2006154183.tif 000006
【図５】
2006154183.tif 000007
【図６】
2006154183.tif 000008
【図７】
2006154183.tif 000009